(57)【要約】【課題】  着信や発信の履歴を用いて、容易に電話帳に登録することができる電話機、および電話番号記憶方法を提供する。【解決手段】  制御部５０５は、所定の時間内に中断された着信呼び出しを検出すると、発信元の電話番号を電話帳に登録するか否かを選択させる画面を表示部５０３に表示させる。使用者が、操作部５０４を操作して、発信元の電話番号の電話帳への登録を選択すると、制御部５０５は、発信元の電話番号を電話帳に登録する。また、制御部５０５は、所定の時間内に発信が中断されると、発信先の電話番号を電話帳に登録するか否かを選択させる画面を表示部５０３に表示させる。使用者が、操作部５０４を操作して、発信先の電話番号の電話帳への登録を選択すると、制御部５０５は、発信先の電話番号を電話帳に登録する。【選択図】  図１
2006238170.tif 000002
【特許請求の範囲】
【請求項１】
電話帳として電話番号を記憶する記憶手段と、
着信すると、着信の報知を行っている状態である着信報知状態が所定の期間内に終了したか否かを判断する着信報知終了判断手段と、
前記着信報知終了判断手段が、前記着信報知状態が所定の期間内に終了したと判断すると、前記記憶手段の前記電話帳に発信元の電話番号を記憶させる制御手段と
を備えたことを特徴とする電話機。
【請求項２】
制御手段は、着信報知終了判断手段が、着信してから、予め決められているコール数に相当する時間内で着信報知状態が終了したと判断すると、記憶手段の電話帳に発信元の電話番号を記憶させる
請求項１記載の電話機。
【請求項３】
電話帳として電話番号を記憶する記憶手段と、
着信すると、着信の報知を行っている状態である着信報知状態が所定の期間外に終了したか否かを判断する着信報知終了判断手段と、
前記着信報知終了判断手段が、前記着信報知状態が所定の期間外に終了したと判断すると、前記記憶手段の前記電話帳に発信元の電話番号を記憶させる制御手段と
を備えたことを特徴とする電話機。
【請求項４】
記憶手段は、前記記憶手段の電話帳に発信元の電話番号を記憶させるか否かを選択させる画面である選択画面を記憶し、
制御手段は、表示手段に前記記憶手段が記憶している前記選択画面を表示させ、使用者の選択に従って、前記記憶手段の前記電話帳に発信元の電話番号を記憶させる
請求項１から請求項３のうちいずれか１項記載の電話機。
【請求項５】
電話帳として電話番号を記憶する記憶手段と、
発信すると、発信を行っている状態である発信状態が所定の期間内に終了したか否かを判断する発信終了判断手段と、
前記発信終了判断手段が、前記発信状態が所定の期間内に終了したと判断すると、前記記憶手段の前記電話帳に発信先の電話番号を記憶させる制御手段と
を備えたことを特徴とする電話機。
【請求項６】
制御手段は、発信終了判断手段が、発信してから、予め決められているコール数に相当する時間内で発信状態が終了したと判断すると、記憶手段の電話帳に発信先の電話番号を記憶させる
請求項５記載の電話機。
【請求項７】
電話帳として電話番号を記憶する記憶手段と、
発信すると、発信を行っている状態である発信状態が所定の期間外に終了したか否かを判断する発信終了判断手段と、
前記発信終了判断手段が、前記発信状態が所定の期間外に終了したと判断すると、前記記憶手段の前記電話帳に発信先の電話番号を記憶させる制御手段と
を備えたことを特徴とする電話機。
【請求項８】
記憶手段は、前記記憶手段の電話帳に発信先の電話番号を記憶させるか否かを選択させる画面である選択画面を記憶し、
制御手段は、表示手段に前記記憶手段が記憶している前記選択画面を表示させ、使用者の選択に従って、前記記憶手段の前記電話帳に発信先の電話番号を記憶させる
請求項５から請求項７のうちいずれか１項記載の電話機。
【請求項９】
制御手段は、記憶手段の電話帳が、発信元の電話番号または発信先の電話番号を記憶していないと、表示手段に選択画面を表示させる
請求項４または請求項８記載の電話機。
【請求項１０】
電話帳として電話番号を記憶する記憶手段を備えた電話機に、発信元の電話番号を記憶させる電話番号記憶方法において、
着信すると、着信の報知を行っている状態である着信報知状態が所定の期間内に終了したか否かを判断し、
前記着信報知状態が所定の期間内に終了したと判断すると、前記記憶手段の前記電話帳に発信元の電話番号を記憶させる
ことを特徴とする電話番号記憶方法。
【請求項１１】
着信してから、予め決められているコール数に相当する時間内で着信報知状態が終了したと判断すると、記憶手段の電話帳に発信元の電話番号を記憶させる
請求項１０記載の電話番号記憶方法。
【請求項１２】
電話帳として電話番号を記憶する記憶手段を備えた電話機に、発信元の電話番号を記憶させる電話番号記憶方法において、
着信すると、着信の報知を行っている状態である着信報知状態が所定の期間外に終了したか否かを判断し、
前記着信報知状態が所定の期間外に終了したと判断すると、前記記憶手段の前記電話帳に発信元の電話番号を記憶させる
ことを特徴とする電話番号記憶方法。
【請求項１３】
記憶手段の電話帳に発信元の電話番号を記憶させるか否かを選択させる画面である選択画面を記憶し、
表示手段に前記選択画面を表示させ、使用者の選択に従って、前記記憶手段の前記電話帳に発信元の電話番号を記憶させる
請求項１０から請求項１２のうちいずれか１項記載の電話番号記憶方法。
【請求項１４】
電話帳として電話番号を記憶する記憶手段を備えた電話機に、発信先の電話番号を記憶させる電話番号記憶方法において、
発信すると、発信を行っている状態である発信状態が所定の期間内に終了したか否かを判断し、
前記発信状態が所定の期間内に終了したと判断すると、前記記憶手段の前記電話帳に発信先の電話番号を記憶させる
ことを特徴とする電話番号記憶方法。
【請求項１５】
発信してから、予め決められているコール数に相当する時間内で発信状態が終了したと判断すると、記憶手段の電話帳に発信先の電話番号を記憶させる
請求項１４記載の電話番号記憶方法。
【請求項１６】
電話帳として電話番号を記憶する記憶手段を備えた電話機に、発信先の電話番号を記憶させる電話番号記憶方法において、
発信すると、発信を行っている状態である発信状態が所定の期間外に終了したか否かを判断し、
前記発信状態が所定の期間外に終了したと判断すると、前記記憶手段の前記電話帳に発信先の電話番号を記憶させる
ことを特徴とする電話番号記憶方法。
【請求項１７】
記憶手段の電話帳に発信先の電話番号を記憶させるか否かを選択させる画面である選択画面を記憶し、
表示手段に前記選択画面を表示させ、使用者の選択に従って、前記記憶手段の前記電話帳に発信先の電話番号を記憶させる
請求項１４から請求項１６のうちいずれか１項記載の電話番号記憶方法。
【請求項１８】
記憶手段の電話帳が、発信元の電話番号または発信先の電話番号を記憶していないと、表示手段に選択画面を表示させる
請求項１３または請求項１７記載の電話番号記憶方法。
【発明の詳細な説明】
【技術分野】
【０００１】
本発明は、発信元または発信先の電話番号を容易に電話帳に登録することができる電話機、および電話番号記憶方法に関する。
【背景技術】
【０００２】
携帯電話機の使用者が、他者の携帯電話機の電話番号を電話帳に登録する際、他者に使用者の携帯電話機に対して発信してもらい、使用者の携帯電話機が着信すると、他者は発信を中止し、使用者がキーボード等の操作部を操作して、着信した履歴の電話番号を電話帳に登録していた。
【０００３】
しかし、一般に、着信した履歴の電話番号を電話帳に登録する手順は複雑で、使用者は煩雑な操作を強いられていた。
【０００４】
着信した履歴の電話番号を表示部に表示させて、所定の操作を行うと、ワンタッチダイヤル等に登録することができる装置が提案されている（例えば、特許文献１参照。）。
【０００５】
【特許文献１】特開平１１−８８５８３号公報  （段落００３２〜００３６、図８）
【発明の開示】
【発明が解決しようとする課題】
【０００６】
しかし、特許文献１に記載されている装置は、着信した履歴の電話番号を表示部に表示させる操作と、ワンタッチダイヤル等に登録するための操作とを行わなければならないため、着信した履歴を用いて電話番号を装置に記憶させるためには、使用者は煩雑な操作を行わなくてはならない。
【０００７】
そこで、本発明は、着信や発信の履歴を用いて、容易に電話帳に登録することができる電話機、および電話番号記憶方法を提供することを目的とする。
【課題を解決するための手段】
【０００８】
本発明による電話機は、電話帳として電話番号を記憶する記憶手段と、着信すると、着信の報知を行っている状態である着信報知状態が所定の期間で終了したか否かを判断する着信報知終了判断手段と、着信報知終了判断手段が、着信報知状態が所定の期間で終了したと判断すると、記憶手段の電話帳に発信元の電話番号を記憶させる制御手段とを備えたことを特徴とする。
【０００９】
制御手段は、着信報知終了判断手段が、着信してから、予め決められているコール数に相当する時間内で着信報知状態が終了したと判断すると、記憶手段の電話帳に発信元の電話番号を記憶させてもよい。
【００１０】
本発明による電話機は、電話帳として電話番号を記憶する記憶手段と、着信すると、着信の報知を行っている状態である着信報知状態が所定の期間外に終了したか否かを判断する着信報知終了判断手段と、着信報知終了判断手段が、着信報知状態が所定の期間外に終了したと判断すると、記憶手段の電話帳に発信元の電話番号を記憶させる制御手段とを備えたことを特徴とする。
【００１１】
記憶手段は、記憶手段の電話帳に発信元の電話番号を記憶させるか否かを選択させる画面である選択画面を記憶してもよく、制御手段は、表示手段に記憶手段が記憶している選択画面を表示させ、使用者の選択に従って、記憶手段の電話帳に発信元の電話番号を記憶させてもよい。
【００１２】
本発明による電話機は、電話帳として電話番号を記憶する記憶手段と、発信すると、発信を行っている状態である発信状態が所定の期間で終了したか否かを判断する発信終了判断手段と、発信終了判断手段が、発信状態が所定の期間で終了したと判断すると、記憶手段の電話帳に発信先の電話番号を記憶させる制御手段とを備えたことを特徴とする。
【００１３】
制御手段は、発信終了判断手段が、発信してから、予め決められているコール数に相当する時間内で発信状態が終了したと判断すると、記憶手段の電話帳に発信先の電話番号を記憶させてもよい。
【００１４】
本発明による電話機は、電話帳として電話番号を記憶する記憶手段と、発信すると、発信を行っている状態である発信状態が所定の期間外に終了したか否かを判断する発信終了判断手段と、発信終了判断手段が、発信状態が所定の期間外に終了したと判断すると、記憶手段の電話帳に発信先の電話番号を記憶させる制御手段とを備えたことを特徴とする。
【００１５】
記憶手段は、記憶手段の電話帳に発信先の電話番号を記憶させるか否かを選択させる画面である選択画面を記憶してもよく、制御手段は、表示手段に記憶手段が記憶している選択画面を表示させ、使用者の選択に従って、記憶手段の電話帳に発信先の電話番号を記憶させてもよい。
【００１６】
制御手段は、記憶手段の電話帳が、発信元の電話番号または発信先の電話番号を記憶していないと、表示手段に選択画面を表示させてもよい。
【００１７】
本発明による電話番号記憶方法は、電話帳として電話番号を記憶する記憶手段を備えた電話機に、発信元の電話番号を記憶させる電話番号記憶方法であって、着信すると、着信の報知を行っている状態である着信報知状態が所定の期間で終了したか否かを判断し、着信報知状態が所定の期間で終了したと判断すると、記憶手段の電話帳に発信元の電話番号を記憶させることを特徴とする。
【００１８】
着信してから、予め決められているコール数に相当する時間内で着信報知状態が終了したと判断すると、記憶手段の電話帳に発信元の電話番号を記憶させてもよい。
【００１９】
本発明による電話番号記憶方法は、電話帳として電話番号を記憶する記憶手段を備えた電話機に、発信元の電話番号を記憶させる電話番号記憶方法であって、着信すると、着信の報知を行っている状態である着信報知状態が所定の期間外に終了したか否かを判断し、着信報知状態が所定の期間外に終了したと判断すると、記憶手段の電話帳に発信元の電話番号を記憶させることを特徴とする。
【００２０】
記憶手段の電話帳に発信元の電話番号を記憶させるか否かを選択させる画面である選択画面を記憶してもよく、表示手段に選択画面を表示させ、使用者の選択に従って、記憶手段の電話帳に発信元の電話番号を記憶させてもよい。
【００２１】
本発明による電話番号記憶方法は、電話帳として電話番号を記憶する記憶手段を備えた電話機に、発信先の電話番号を記憶させる電話番号記憶方法であって、発信すると、発信を行っている状態である発信状態が所定の期間で終了したか否かを判断し、発信状態が所定の期間で終了したと判断すると、記憶手段の電話帳に発信先の電話番号を記憶させることを特徴とする。
【００２２】
発信してから、予め決められているコール数に相当する時間内で発信状態が終了したと判断すると、記憶手段の電話帳に発信先の電話番号を記憶させてもよい。
【００２３】
本発明による電話番号記憶方法は、電話帳として電話番号を記憶する記憶手段を備えた電話機に、発信先の電話番号を記憶させる電話番号記憶方法であって、発信すると、発信を行っている状態である発信状態が所定の期間外に終了したか否かを判断し、発信状態が所定の期間外に終了したと判断すると、記憶手段の電話帳に発信先の電話番号を記憶させることを特徴とする。
【００２４】
記憶手段の電話帳に発信先の電話番号を記憶させるか否かを選択させる画面である選択画面を記憶してもよく、表示手段に選択画面を表示させ、使用者の選択に従って、記憶手段の電話帳に発信先の電話番号を記憶させてもよい。
【００２５】
記憶手段の電話帳が、発信元の電話番号または発信先の電話番号を記憶していないと、表示手段に選択画面を表示させてもよい。
【発明の効果】
【００２６】
本発明によれば、所定の期間内、または所定の期間外に着信報知状態または発信状態が終了すると、発信元または発信先の電話番号を記憶手段の電話帳に記憶させることができる。
【００２７】
請求項２、請求項６、請求項１１、および請求項１５に記載されている発明によれば、着信してから予め決められているコール数に相当する時間内で着信報知状態が終了したり、発信してから予め決められているコール数に相当する時間内で発信状態が終了したりすると、記憶手段の電話帳に、発信先または発信元の電話番号を記憶させることができる。すると、予め決められているコール数に相当する時間内で終了した着信の発信元の電話番号や、発信先の電話番号を、記憶手段の電話帳に記憶させることができる。
【００２８】
請求項４、請求項８、請求項１３、および請求項１７に記載されている発明によれば、使用者の選択に従って、発信元または発信先の電話番号を記憶手段に記憶させることができる。すると、他の機会に、発信元または発信先の電話番号に容易に発信することができる。
【００２９】
請求項９、および請求項１８に記載されている発明によれば、記憶手段が記憶していない発信元の電話番号または発信先の電話番号を、記憶手段に記憶させることができる。すると、記憶手段の電話帳が記憶していない電話番号のみを、新たに記憶手段の電話帳に記憶させることができる。
【発明を実施するための最良の形態】
【００３０】
実施の形態１．
本発明の第１の実施の形態について説明する。図１は、本発明の第１の実施の形態の一構成例を示すブロック図である。
【００３１】
本発明の電話機としての携帯電話機１は、電波を送受信するアンテナ５０１、電波への変調と電波からの復調とを行う無線部５０２、情報を表示する表示部（表示手段）５０３、指示を入力する操作部５０４、音声を処理する音声処理部５０６、着信音を出力するスピーカ５０７、音声を出力するレシーバ５０８、音声を入力するマイクロフォン５０９、および各部を制御する制御部（着信報知終了判断手段、発信終了判断手段、制御手段）５０５を含む。
【００３２】
制御部５０５は、情報を処理するＣＰＵ５１０と、情報を記憶するメモリ（記憶手段）５１１とを含む。
【００３３】
携帯電話機１は、制御部５０５の制御により、無線部５０２とアンテナ５０１とを介して、携帯電話通信網の基地局と情報を送受信する。無線部５０２は、受信したい信号周波数を選択して、アンテナ５０１が受信した信号を選択した周波数に変換して増幅し、復調して生成した受信データを制御部５０５に出力する。
【００３４】
制御部５０５は、受信データを処理して、音声信号を生成し、生成した音声信号を音声処理部５０６に出力する。音声処理部５０６は、制御部５０５が出力した音声信号をアナログ信号に変換して、レシーバ５０８を介して出力する。
【００３５】
また、マイクロフォン５０９に音声が入力されると、音声処理部５０６は、入力された音声をデジタル信号に変換して制御部５０５に出力する。制御部５０５は、音声処理部５０６が出力したデジタル信号にもとづいて送信データを生成し、生成した送信データを無線部５０２に出力する。
【００３６】
無線部５０２は、規定の周波数の搬送波を、制御部５０５が出力した送信データで変調して増幅し、アンテナ５０１を介して携帯電話通信網の基地局に送信する。
【００３７】
なお、制御部５０５は、操作部５０４を監視して、使用者が操作部５０４を操作すると、使用者の操作に応じた処理を実行する。また、メモリ５１１は、電話帳、着信時および発信時における所定の長さの時間（例えば、ワンコール等の時間）、および着信発生時または発信時に、発信元の電話番号または発信先の電話番号を電話帳に登録するか否かを選択させる選択画面を記憶している。
【００３８】
ここで、着信時において携帯電話通信網の基地局からの呼び出しに対して、携帯電話機１が着信の報知を行う最初の所定の時間、または発信時における携帯電話通信網の基地局への最初の所定の時間であって、例えば、着信音または呼び出し音の１サイクル分をワンコールという。
【００３９】
次に、本発明の第１の実施の形態の動作について説明する。図２は、本発明の第１の実施の形態の動作を説明するフローチャートである。
【００４０】
制御部５０５は、着信したことを検知すると（ステップＳ１０１）、操作部５０４を監視して受話動作を行ったか否かの検出を行う（ステップＳ１０２）。制御部５０５は、使用者が操作部５０４を操作して受話操作を行うと、通常の通話動作を行う（ステップＳ１０３）。
【００４１】
制御部５０５は、メモリ５１１が記憶している所定の長さの時間（例えば、ワンコール）が経過しても受話操作が行われずに、着信音の発生等の着信報知動作を終了し、着信が終了した（中断された）場合（ステップＳ１０４）、発信元の電話番号がメモリ５１１が記憶している電話帳に登録されているか否かを判断する（ステップＳ１０５）。
【００４２】
制御部５０５は、発信元の電話番号が電話帳に登録されていないと判断すると、表示部５０３に、発信元の電話番号をメモリ５１１が記憶している電話帳に登録するか否かを選択させる選択画面を表示させる（ステップＳ１０６）。
【００４３】
使用者が、操作部５０４を操作して、発信元の電話番号の電話帳への登録を選択すると（ステップＳ１０７）、制御部５０５は、発信元の電話番号を電話帳に登録する（ステップＳ１０８）。
【００４４】
以上に述べたように、この実施の形態によれば、所定の時間（例えば、ワンコール）を超えて着信した発信元の電話番号を、容易に電話帳に登録することができる。
【００４５】
なお、発信元の電話番号を記憶する着信の所定の時間として、ワンコールを例示したが、本発明はこれに限定されるものではなく、所定の時間は、例えば、ワンコール以上のコール数である２コールや３コールに相当する時間であってもよい。
【００４６】
実施の形態２．
本発明の第２の実施の形態について説明する。本発明の第２の実施の形態の構成は、本発明の第１の実施の形態の構成と同様なため、各構成要素には図１と同じ符号を付し、説明を省略する。
【００４７】
本発明の第２の実施の形態の動作について説明する。図３は、本発明の第２の実施の形態の動作を説明するフローチャートである。図４は、携帯電話機１の着信時の状態を示す説明図である。
【００４８】
制御部５０５は、着信したことを検知すると（図４（ａ）の状態）（ステップＳ２０１）、操作部５０４を監視して受話動作を行ったか否かの検出を行う（ステップＳ２０２）。制御部５０５は、使用者が操作部５０４を操作して受話操作を行うと、通常の通話動作を行う（ステップＳ２０３）。
【００４９】
制御部５０５は、メモリ５１１が記憶している所定の長さの時間（例えば、ワンコール）以内に受話操作が行われず、着信音の発生等の着信報知動作を終了し、着信が終了した（中断された）場合（ステップＳ２０４）、発信元の電話番号がメモリ５１１が記憶している電話帳に登録されているか否かを判断する（ステップＳ２０５）。
【００５０】
制御部５０５は、発信元の電話番号が電話帳に登録されていないと判断すると、表示部５０３に、発信元の電話番号をメモリ５１１が記憶している電話帳に登録するか否かを選択させる選択画面を表示させる（図４（ｂ）の状態）（ステップＳ２０６）。
【００５１】
使用者が、操作部５０４を操作して、発信元の電話番号の電話帳への登録を選択すると（ステップＳ２０７）、制御部５０５は、発信元の電話番号を電話帳に登録する（図４（ｃ）の状態）（ステップＳ２０８）。
【００５２】
以上に述べたように、この実施の形態によれば、所定の時間（例えば、ワンコール）よりも短い時間着信した発信元の電話番号を、容易に電話帳に登録することができる。他者の電話番号を電話帳に記憶させる際に、他者の携帯電話機等に自らの携帯電話機等へワンコールだけ発信させることは、通常よく行われる。そのような場合に、本発明は非常に有益である。
【００５３】
また、着信履歴を残すことを悪用して、情報量の課金や回収代行サービス等を行う発信者は、一般に、ワンコール以内の短い発信を行うが、この実施の形態によれば、そのような短い着信が発生すると、着信した電話番号を電話帳に登録するか否かを確認する選択画面を表示部５０３に表示させる。そのため、使用者が不用意にそのような電話番号に発信してしまったり、電話帳に登録したりすることを防ぐことができる。
【００５４】
なお、発信元の電話番号を記憶する着信の所定の時間として、ワンコールを例示したが、本発明はこれに限定されるものではなく、所定の時間は、例えば、ワンコール以上のコール数である２コールや３コールに相当する時間であってもよい。
【００５５】
実施の形態３．
本発明の第３の実施の形態について説明する。本発明の第３の実施の形態の構成は、本発明の第１の実施の形態の構成と同様なため、各構成要素には図１と同じ符号を付し、説明を省略する。
【００５６】
本発明の第３の実施の形態の動作について説明する。図５は、本発明の第３の実施の形態の動作を説明するフローチャートである。
【００５７】
制御部５０５は、操作部５０４が発信操作が行われたと判断すると（ステップＳ３０１）、携帯電話通信網の基地局に発信動作を行う（ステップＳ３０２）。
【００５８】
制御部５０５は、携帯電話通信網の基地局から接続要求を受信すると（ステップＳ３０３）、通常の通話動作を行う（ステップＳ３０４）。
【００５９】
制御部５０５は、携帯電話通信網の基地局から接続要求を受信する前に、操作部５０４に発信の中止の操作が行われると発信を中止（中断）し、メモリ５１１が記憶している所定の長さの時間が経過してから発信を中止したか否かを判断する（ステップＳ３０５）。
【００６０】
制御部５０５は、メモリ５１１が記憶している所定の長さの時間（例えば、ワンコール）が経過してから発信を中止（中断）したと判断すると、発信した発信先の電話番号がメモリ５１１が記憶している電話帳に登録されているか否かを判断する（ステップＳ３０６）。
【００６１】
制御部５０５は、発信した発信先の電話番号が電話帳に登録されていないと判断すると、表示部５０３に、発信した発信先の電話番号を電話帳に登録するか否かを選択させる選択画面を表示させる（ステップＳ３０７）。
【００６２】
使用者が、操作部５０４を操作して、発信した発信先の電話番号の電話帳への登録を選択すると（ステップＳ３０８）、制御部５０５は、発信した発信先の電話番号を電話帳に登録する（ステップＳ３０９）。
【００６３】
以上に述べたように、この実施の形態によれば、所定の時間よりも長い時間発信した電話番号を、容易に電話帳に登録することができる。
【００６４】
なお、発信先の電話番号を記憶する発信の所定の時間として、ワンコールを例示したが、本発明はこれに限定されるものではなく、所定の時間は、例えば、ワンコール以上のコール数である２コールや３コールに相当する時間であってもよい。
【００６５】
実施の形態４．
本発明の第４の実施の形態について説明する。本発明の第４の実施の形態の構成は、本発明の第１の実施の形態の構成と同様なため、各構成要素には図１と同じ符号を付し、説明を省略する。
【００６６】
本発明の第４の実施の形態の動作について説明する。図６は、本発明の第４の実施の形態の動作を説明するフローチャートである。図７は、携帯電話機１の発信時の状態を示す説明図である。
【００６７】
制御部５０５は、操作部５０４が発信操作が行われたと判断すると（ステップＳ４０１）、携帯電話通信網の基地局に発信動作を行う（図７（ａ）の状態）（ステップＳ４０２）。
【００６８】
制御部５０５は、携帯電話通信網の基地局から接続要求を受信すると（ステップＳ４０３）、通常の通話動作を行う（ステップＳ４０４）。
【００６９】
制御部５０５は、携帯電話通信網の基地局から接続要求を受信する前に、操作部５０４に発信の中止の操作が行われると発信を中止（中断）し、メモリ５１１が記憶している所定の長さの時間以内に発信を中止したか否かを判断する（ステップＳ４０５）。
【００７０】
制御部５０５は、メモリ５１１が記憶している所定の長さの時間（例えば、ワンコール）以内に、発信を中止（中断）したと判断すると、発信した発信先の電話番号がメモリ５１１が記憶している電話帳に登録されているか否かを判断する（ステップＳ４０６）。
【００７１】
制御部５０５は、発信した発信先の電話番号が電話帳に登録されていないと判断すると、表示部５０３に、発信した発信先の電話番号を電話帳に登録するか否かを選択させる選択画面を表示させる（図７（ｂ）の状態）（ステップＳ４０７）。
【００７２】
使用者が、操作部５０４を操作して、発信した発信先の電話番号の電話帳への登録を選択すると（ステップＳ４０８）、制御部５０５は、発信した発信先の電話番号を電話帳に登録する（図７（ｃ）の状態）（ステップＳ４０９）。
【００７３】
以上に述べたように、この実施の形態によれば、所定の時間以下の時間発信した電話番号を、容易に電話帳に登録することができる。自らの携帯電話機等の電話帳に、他者の携帯電話機等の電話番号を記憶させる際に、他者の携帯電話機等に自らの携帯電話機等からワンコールだけ発信することは、通常よく行われる。そのような場合に、本発明は非常に有益である。
【００７４】
なお、発信先の電話番号を記憶する発信の所定の時間として、ワンコールを例示したが、本発明はこれに限定されるものではなく、所定の時間は、例えば、ワンコール以上のコール数である２コールや３コールに相当する時間であってもよい。
【００７５】
なお、以上に述べた各実施の形態では、制御部５０５は、通話することなく着信または発信を中断した電話番号を、電話帳に登録するか否かを選択させる画面を表示部５０３に表示させたが、通話して回線を切断した後に、着信または発信した電話番号を、電話帳に登録するか否かを選択させる画面を表示部５０３に表示させてもよく、使用者の操作に従って、着信または発信した電話番号を、電話帳に登録してもよい。
【００７６】
また、以上に述べた各実施の形態では、電話機として携帯電話機１を例に説明したが、本発明はこれに限定されるものではなく、有線公衆電話回線に接続された固定電話機や、ＰＨＳ（Ｐｅｒｓｏｎａｌ  Ｈａｎｄｙ  Ｐｈｏｎｅ  Ｓｙｓｔｅｍ）端末等であってもよい。
【産業上の利用可能性】
【００７７】
本発明は、電話機において電話番号を電話帳に登録する場合に適用することができる。
【図面の簡単な説明】
【００７８】
【図１】本発明の第１の実施の形態の一構成例を示すブロック図である。
【図２】本発明の第１の実施の形態の動作を説明するフローチャートである。
【図３】本発明の第２の実施の形態の動作を説明するフローチャートである。
【図４】携帯電話機の着信時の状態を示す説明図である。
【図５】本発明の第３の実施の形態の動作を説明するフローチャートである。
【図６】本発明の第４の実施の形態の動作を説明するフローチャートである。
【図７】携帯電話機の発信時の状態を示す説明図である。
【符号の説明】
【００７９】
１      携帯電話機
５０１  アンテナ
５０２  無線部
５０３  表示部
５０４  操作部
５０５  制御部
５０６  音声処理部
５０７  スピーカ
５０８  レシーバ
５０９  マイクロフォン
５１０  ＣＰＵ
５１１  メモリ
【図１】
2006238170.tif 000003
【図２】
2006238170.tif 000004
【図３】
2006238170.tif 000005
【図４】
2006238170.tif 000006
【図５】
2006238170.tif 000007
【図６】
2006238170.tif 000008
【図７】
2006238170.tif 000009